(57)【特許請求の範囲】
【請求項１】
容器体（Ａ）内の液と外気とを混合・起泡して泡として吐出する泡吐出器であって、有底筒状の胴部（１０）より肩部（１１）を介して口頸部（１２）を起立した容器体（Ａ）と、容器体（Ａ）に対して連結部材（Ｂ）を介して装着したフォーマーポンプ（Ｃ）とを備え、
フォーマーポンプ（Ｃ）は、装着キャップ（Ｃ１）より垂設した大径の空気用シリンダ（４０）及び小径の液用シリンダ（４１）を上下に同心円状に連設してなるシリンダ部材（Ｃ２）と、液用シリンダ（４１）内を摺動する液用ピストン（５０）をステム（５１）外周下部より突設するとともに、空気用シリンダ（４０）内を摺動する空気用ピストン（５２）をステム（５１）外周上部に連係させ、ステム（５１）上端に装着キャップ（Ｃ１）より突出する吐出ヘッド（５３）を嵌着して上方付勢状態で上下動可能に装着した作動部材（Ｃ３）とを備え、
作動部材（Ｃ３）の上下動により液用シリンダ（４１）内の液と空気用シリンダ（４０）内の空気を合流させて起泡させ、吐出ヘッド（５３）の吐出口より泡として吐出する如く構成してなり、シリンダ部材（Ｃ２）とは別体である連結部材（Ｂ）の上部を、当該シリンダ部材（Ｃ２）外周に位置させてフォーマーポンプへ固定するとともに、装着キャップ（Ｃ１）の外面に上端部を固定して下方へ上記連結部材を覆うカバー筒（Ｄ）を垂設し、
容器体（Ａ）内に液用シリンダ（４１）を垂下するとともに、口頸部（１２）上方に空気用シリンダ（４０）を位置させ、且つ、容器体（Ａ）の胴部（１０）外周にカバー筒（Ｄ）下端部を嵌合させた状態で、連結部材（Ｂ）を介してフォーマーポンプ（Ｃ）を容器体（Ａ）に装着したことを特徴とする泡吐出器。
【請求項２】
連結部材（Ｂ）とカバー筒（Ｄ）とを固定したフォーマーポンプ（Ｃ）に対して、容器体（Ａ）の着脱自在な装着が可能に構成した請求項１に記載の泡吐出器。
【請求項３】
連結部材（Ｂ）を、空気用シリンダ（４０）外周に嵌合させる周壁（２３）の下端縁よりフランジ状の底板（２２）を延設するとともに、底板（２２）下面より口頸部（１２）外周に嵌合させる装着筒（２０）を垂設し、周壁（２３）外周に装着キャップ（Ｃ１）の周壁（３０）を嵌合係止可能に構成してなり、カバー筒（Ｄ）を、装着キャップ周壁（３０）外周に上端部を固定するとともに、下端部を容器体（Ａ）の胴部（１０）外周への嵌合が可能に下方へ垂設してなる請求項１又は請求項２に記載の泡吐出器。
【請求項４】
容器体（Ａ）の胴部（１０）外周上端部に、カバー筒（Ｄ）の下端部が嵌合する嵌合用凹部（１３）を設けた請求項１乃至請求項３のいずれか１項に記載の泡吐出器。
【発明の詳細な説明】
【技術分野】
【０００１】
本発明は泡吐出器に関する。
【背景技術】
【０００２】
装着した容器体内の液と外気とを混合・起泡して泡として吐出する泡吐出器が提案されている（例えば、特許文献１参照）。
【０００３】
上記特許文献１に記載された泡吐出器は、容器体の口頸部外周に嵌合させた装着キャップに上端部を固定して容器体内に垂下するとともに、大径の空気用シリンダ及び小径の液用シリンダを上下に同心円状に連設してなるシリンダ部材と、液用シリンダ内を摺動する液用ピストンをステム外周下部より突設するとともに、空気用シリンダ内を摺動する空気用ピストンをステム外周上部に連係させ、ステム上端に吐出ヘッドを嵌着して上方付勢状態で上下動可能に装着した作動部材とを備え、作動部材の上下動により液用シリンダ内の液と空気用シリンダ内の空気を合流させて起泡させ、吐出ヘッドの吐出口より泡として吐出する如く構成している。
【０００４】
従って、容器体内に大径の空気用シリンダと、その下方に連設した小径の液用シリンダとを、一緒に挿入した状態で使用しているため、容器体の内容積に比較して使用可能な液の量が極小量に限定されるという不都合がある。
【先行技術文献】
【特許文献】
【０００５】
【特許文献１】特開２００９−２０８７８６号公報
【発明の概要】
【発明が解決しようとする課題】
【０００６】
本発明は上記した点に鑑みてなされたもので、使用する液体を収納する容器体内のデッドスペースを減らして容器体を小型化でき、しかも外観も良好に形成でき、容器体の交換も外観を損ねることなく簡単に行える泡吐出器を提案する。
【課題を解決するための手段】
【０００７】
第１の手段として、以下の通り構成した。
容器体Ａ内の液と外気とを混合・起泡して泡として吐出する泡吐出器であって、有底筒状の胴部１０より肩部１１を介して口頸部１２を起立した容器体Ａと、容器体Ａに対して連結部材Ｂを介して装着したフォーマーポンプＣとを備え、
フォーマーポンプＣは、装着キャップＣ１より垂設した大径の空気用シリンダ４０及び小径の液用シリンダ４１を上下に同心円状に連設してなるシリンダ部材Ｃ２と、液用シリンダ４１内を摺動する液用ピストン５０をステム５１外周下部より突設するとともに、空気用シリンダ４０内を摺動する空気用ピストン５２をステム５１外周上部に連係させ、ステム５１上端に装着キャップＣ１より突出する吐出ヘッド５３を嵌着して上方付勢状態で上下動可能に装着した作動部材Ｃ３とを備え、
作動部材Ｃ３の上下動により液用シリンダ４１内の液と空気用シリンダ４０内の空気を合流させて起泡させ、吐出ヘッド５３の吐出口より泡として吐出する如く構成してなり、シリンダ部材Ｃ２とは別体である連結部材Ｂの上部を、当該シリンダ部材Ｃ２外周に位置させてフォーマーポンプへ固定するとともに、装着キャップＣ１の外面に上端部を固定して下方へ上記連結部材を覆うカバー筒Ｄを垂設し、
容器体Ａ内に液用シリンダ４１を垂下するとともに、口頸部１２上方に空気用シリンダ４０を位置させ、且つ、容器体Ａの胴部１０外周にカバー筒Ｄ下端部を嵌合させた状態で、連結部材Ｂを介してフォーマーポンプＣを容器体Ａに装着している。
【０００８】
第２の手段として、以下の通り構成した。即ち、前記第１の手段に於いて、連結部材Ｂとカバー筒Ｄとを固定したフォーマーポンプＣに対して、容器体Ａの着脱自在な装着が可能に構成した。
【０００９】
第３の手段として、以下の通り構成した。即ち、前記第１の手段又は第２の手段に於いて、連結部材Ｂを、空気用シリンダ４０外周に嵌合させる周壁２３の下端縁よりフランジ状の底板２２を延設するとともに、底板２２下面より口頸部１２外周に嵌合させる装着筒２０を垂設し、周壁２３外周に装着キャップＣ１の周壁３０を嵌合係止可能に構成してなり、カバー筒Ｄを、装着キャップ周壁３０外周に上端部を固定するとともに、下端部を容器体Ａの胴部１０外周への嵌合が可能に下方へ垂設してなる。
【００１０】
第４の手段として、以下の通り構成した。即ち、前記第１の手段乃至第３の手段のいずれかの手段に於いて、容器体Ａの胴部１０外周上端部に、カバー筒Ｄの下端部が嵌合する嵌合用凹部１３を設けた。
【発明の効果】
【００１１】
本発明によれば、容器体Ａ内のフォーマーポンプの占める割合が極端に減少し、同じ量の液を収納した従来の容器体と比較して容器体Ａの大きさを極めて小さいものとすることができる。また、カバー筒Ｄの存在で容器体ＡとフォーマーポンプＣとを一体感のある泡吐出器として体裁良くまとめることができ、差別化を図れる。しかもカバー筒Ｄの存在で胴部を若干薄肉に形成しても容器体胴部１０の強度保持が可能であり、胴部１０を形成する樹脂量の削減ができるという特徴がある。
【００１２】
連結部材Ｂとカバー筒Ｄとを固定したフォーマーポンプＣに対して、容器体Ａの着脱自在な装着が可能に構成した場合には、容器体Ａ内の液が無くなった場合に代わりのレフィール容器体を簡単に交換することができ、或いは、容器体Ａ内へ補充容器より内容物を簡単に補充することができ、取り扱いが便利である。
【００１３】
連結部材Ｂを、空気用シリンダ４０外周に嵌合させる周壁２３の下端縁よりフランジ状の底板２２を延設するとともに、底板２２下面より口頸部１２外周に嵌合させる装着筒２０を垂設し、周壁２３外周に装着キャップＣ１の周壁３０を嵌合係止可能に構成してなり、カバー筒Ｄを、装着キャップ周壁３０外周に上端部を固定するとともに、下端部を容器体Ａの胴部１０外周への嵌合が可能に下方へ垂設してなる場合には、全体を極めてコンパクトに形成でき、しかも装着キャップＣ１からカバー筒Ｄを介して容器体Ａの胴部１０に至る略同一外径の外観良好な泡吐出器を得られる。
【００１４】
容器体Ａの胴部１０外周上端部に、カバー筒Ｄの下端部が嵌合する嵌合用凹部１３を設けた場合には、カバー筒Ｄの容器体胴部１０への嵌合がより行い易く、また、カバー筒Ｄ外面と容器体胴部１０外面とを段差なく面一に形成できるため、より外観が良好となる利点もある。
【図面の簡単な説明】
【００１５】
【図１】泡吐出器の要部切欠側面図である。（実施例１）
【図２】容器体が外れた状態の泡吐出器の要部切欠側面図である。（実施例１）
【発明を実施するための形態】
【００１６】
以下、本発明の形態を図面を参照して説明する。
【００１７】
図１は泡吐出器の一例を示すもので、泡吐出器１は、容器体Ａと、連結部材Ｂと、フ  ォーマーポンプＣと、カバー筒Ｄと、オーバーキャップＥとを備えている。
【００１８】
容器体Ａは合成樹脂製で、有底筒状の胴部１０より肩部１１を介して口頸部１２を起立しており、胴部１０の外周上端には、周方向帯状の嵌合用凹部１３を凹設している。
【００１９】
連結部材Ｂは合成樹脂製で、口頸部１２外周に螺合させる装着筒２０を、中央に窓孔を穿設した底板２２の下面より垂設し、底板２２周縁部より上方へ周壁２３を起立している。本例では、図２に示す如く、フォーマーポンプＣに予め装着固定しておく。その場合、フォーマーポンプＣの後述するシリンダ部材Ｃ２外周に連結部材の上部を位置させて下記の如く嵌着する。
【００２０】
フォーマーポンプＣは、装着キャップＣ１と、シリンダ部材Ｃ２と、作動部材Ｃ３とを備えている。
【００２１】
装着キャップＣ１は、フォーマーポンプＣを連結部材Ｂに固定するためのもので、連結部材周壁２３外周に螺着させた周壁３０の上端縁より、中央に作動部材Ｃ３を貫通させる窓孔を開口した頂壁３１を延設している。
【００２２】
シリンダ部材Ｃ２は、大径の空気用シリンダ４０の下部に、小径の液用シリンダ４１を同心円状に延設している。空気用シリンダ４０は、周壁部の下端縁より底壁部を延設し、底壁部の内周縁に液用シリンダ４１の上端縁を一体に連結して構成している。また、周壁部の上端を装着キャップＣ１の頂部裏面に嵌着して、装着キャップＣ１より垂設している。
【００２３】
液用シリンダ４１は、空気用シリンダ４０の底壁部内周縁に周壁部の上端縁を連結して下方へ垂設し、周壁部の下端縁より中央を開口したテーパ状の底壁部を延設し、底壁部の上面を吸込み弁用の弁座として構成し、液用シリンダ４１内下部を上下動可能に装着されたポペット弁体４６とで吸込み弁４７を構成している。また、底壁部の中央開口縁より下方へパイプ嵌合筒を一体に垂設している。パイプ嵌合筒には吸い上げ用のパイプ４８の上端を嵌着し、その下端を容器体Ａ内下端部に垂下させている。
【００２４】
作動部材Ｃ３は、液用シリンダ４１内を摺動する液用ピストン５０をステム５１外周下部より突設するとともに、空気用シリンダ４０内を摺動する空気用ピストン５２をステム５１外周上部に連係させ、ステム５１上端に吐出ヘッド５３を嵌着している。そして、液用ピストン５０下面に介在させたコイルスプリングｓにより上方付勢状態で上下動可能に装着している。
【００２５】
ステム５１内には吐出弁５４を備え、吐出弁上方にはメッシュ５５を張設した筒体を設けて起泡層としている。更に、空気用ピストン５２の内周縁部には空気吐出弁５６を形成しており、この空気吐出弁５６から起泡層下方の気・液混合室に連通する空気通路５７を備えている。また、空気用ピストンには外気導入弁５８を設けている。
【００２６】
カバー筒Ｄは、装着キャップＣ１の外周に上端部を固定して下方へ垂設したもので、本例では、図２に示す如く、連結部材ＢともどもフォーマーポンプＣに予め装着固定しておく。その場合、フォーマーポンプＣの装着キャップ周壁３０の外周に上端部を固定して、下端部を容器体Ａの胴部１０外周に嵌着すべく、液用シリンダ４１下部位置まで垂下している。カバー筒Ｄを固定する手段としては、接着、溶着、或いは嵌着等より適宜採用できる。また、カバー筒Ｄは、基本的に合成樹脂製で、単層構造であっても積層構造であっても良く、比較的肉薄のものが好ましく採用される。具体的に例示すれば、シュリンクフィルム、タックラベル、チューブスリーブ等が挙げられるが、これに限らない。
【００２７】
オーバーキャップＥは、装着キャップＣ１の周壁３０外周上部に形成した嵌合凹部に周壁下端部を嵌合させて着脱可能に装着している。
【００２８】
上記泡吐出器１は、図２に示す如く、フォーマーポンプＣに連結部材Ｂ及びカバー筒Ｄを装着したものを、容器体Ａ内にパイプ４８、シリンダ部材Ｃ２下端部を挿入して、装着筒２０を口頸部１２外周に螺合しつつ、カバー筒Ｄの下端部を容器体胴部１０の外周上部に嵌合することで、容器体Ａに装着することができる。本例では、容器体Ａの胴部１０外周上端部に嵌合用凹部１３を備えているため、容器体胴部１０の外周面とカバー筒Ｄの外周面と略面一に形成でき、上から下まで略同外径の泡吐出器を構成できる。尚、本例では容器体胴部１０の外周面とカバー筒Ｄの外周面とを面一に形成した例を示しているが、本発明では、これらが必ずしも面一に形成されている場合に限られるものではなく、例えば、カバー筒Ｄの下端に段差があっても良い。
【００２９】
上記フォーマーポンプＣは、図１の状態からオーバーキャップＥを外して吐出ヘッド５３を押し下げると、空気用ピストン５２がステム５１に対して相対的に上昇して空気吐出弁５６が開き、また下降する空気用ピストン５２により空気用シリンダ４０内の空気が加圧されて空気通路５７を介して気液混合室内に導入される。一方、液用ピストン５０が下降してポペット弁体４６を吸込み弁用の弁座に当接させるまで下降させるとともに、液用シリンダ４１内の加圧液を吐出弁５４を介して気液混合室に導入させ、ここで、気液を混合する。気液混合室で混合された気液は起泡層を通過して発泡し、吐出ヘッド５３のノズルより泡として吐出される。
【００３０】
吐出ヘッド５３の押圧を解除するとコイルスプリングｓの付勢力により作動部材Ｃ３が上昇し、その際空気用ピストン５２がステム５１に対して相対的に下降して空気吐出弁５６が閉じ、空気用シリンダ４０内の負圧化によって外気導入弁５８が開いて外気が空気用シリンダ４０内に導入される。一方、ステム５１の上昇によりポペット弁体４６は上昇し、吸込み弁４７が開いて負圧化した液用シリンダ４１内に容器体Ａ内の液が導入され、その際吐出弁５４は閉じる。
【００３１】
容器体Ａ内の液が無くなった場合には、フォーマーポンプＣより容器体Ａを外して液の詰め替えを行うことができ、或いは、液の充填されている詰め替え用の容器体Ａを装着することで再使用が可能となる。
【００３２】
尚、上記例では、カバー筒ＤをフォーマーポンプＣに予め嵌着固定しておいた場合について説明したが、本発明ではカバー筒Ｄを予め容器体Ａ側に固定しておいても良い。
【符号の説明】
【００３３】
１…泡吐出器
Ａ：容器体
１０…胴部、１１…肩部、１２…口頸部、１３…嵌合用凹部
Ｂ：連結部材
２０…装着筒、２２…底板、２３…周壁
Ｃ：フォーマーポンプ
Ｃ１…装着キャップ
３０…周壁、３１…頂壁
Ｃ２…シリンダ部材
４０…空気用シリンダ、４１…液用シリンダ、４６…ポペット弁体、４７…吸込み弁、
４８…吸い上げ用のパイプ
Ｃ３…作動部材
５０…液用ピストン、５１…ステム、５２…空気用ピストン、５３…吐出ヘッド、
５４…吐出弁、５５…メッシュ、５６…空気吐出弁、５７…空気通路、
５８…外気導入弁
Ｄ…カバー筒
Ｅ…オーバーキャップ
ｓ…コイルスプリング
【図１】
0005865699.tif 000002
【図２】
0005865699.tif 000003